(57)【要約】  複数の端末の応答信号の衝突を回避する端末装置及び基地局装置を開示する。応答制御部（２０７）は、下り割当制御情報により通知されたデータ応答リソースを用いて、下りデータの誤り検出結果に応じたＡＣＫ／ＮＡＣＫを送信し、ＰＡ判定部（２０４）が「ＰＡ終了」と判定した場合、データ応答リソースと同じリソースを用いて、下り割当制御情報に対する応答信号として、ＡＣＫを送信するよう制御する。再送制御部（１０６）は、ＰＡ終了時に、下り割当制御情報に対するＡＣＫを受信した場合、ＰＡ終了完了と判定し、下りデータに対するＮＡＣＫを受信した場合、リソース割当終了見逃しと判断し、ＰＡ終了見逃しと判断した場合、ＰＡ終了時の下り割当制御情報の再送制御をする。
2011004613.tif 000002
【特許請求の範囲】
【請求項１】
下り制御リソースで送信された下り割当制御情報、及び、前記下り割当制御情報が示す下りデータリソースで周期的に送信された下りデータを受信する受信手段と、
前記受信された下りデータの受信誤りを検出する誤り検出手段と、
前記受信された下り割当制御情報に基づいて、リソース割当終了か否かを判定する判定手段と、
前記誤り検出手段で得られた誤り検出結果、及び、前記判定手段で得られた判定結果に基づいて、前記下りデータ及び前記下り割当制御情報の再送制御に用いられる応答信号の送信を制御する応答制御手段と、を具備し、
前記応答制御手段は、
前記下り割当制御情報により通知されたデータ応答リソースを用いて、前記誤り検出結果に応じたＡＣＫ／ＮＡＣＫを送信し、前記判定手段がリソース割当終了と判定した場合、前記データ応答リソースと同じリソースを用いて、前記下り割当制御情報に対する応答信号として、ＡＣＫを送信する、
端末装置。
【請求項２】
前記下り割当制御情報は、リソース割当開始時には、前記データ応答リソースの情報を含み、リソース割当終了時には、前記下り割当制御情報に対するＡＣＫを通知する制御応答リソースの情報を含み、
前記判定手段は、前記制御応答リソースが、前記データ応答リソースと異なる場合、次の周期でリソース割当終了が行われると判定する、
請求項１に記載の端末装置。
【請求項３】
前記下り割当制御情報は、リソース割当終了の通知が初回送信であるか再送であるかを示す初回送信・再送情報を含み、
前記応答制御手段は、前記初回送信・再送情報が初回送信を示す場合に、前記制御応答リソースを用いて、前記下り割当制御情報に対する応答信号としてＡＣＫを送信し、前記初回送信・再送情報が再送を示す場合に、前記データ応答リソースを用いて、前記下り割当制御情報に対する応答信号としてＡＣＫを送信する、
請求項１に記載の端末装置。
【請求項４】
前記判定手段は、前記下り制御リソースの位置に基づいて、前記制御応答リソースを判定する、
請求項１に記載の端末装置。
【請求項５】
リソース割当開始時に、下りデータを下りデータリソースを用いて周期的に送信し、前記下りデータリソースの情報及び前記下りデータの誤り結果に応じたＡＣＫ／ＮＡＣＫを送信する制御応答リソースを含む下り割当制御情報を送信し、リソース割当終了時に、リソース割当終了を示す情報を含む前記下り割当制御情報を送信する送信手段と、
前記下りデータの誤り結果に応じたＡＣＫ／ＮＡＣＫ、及び、前記下り割当制御情報に対するＡＣＫを、前記制御応答リソースで受信する受信手段と、
リソース割当終了時に、前記受信手段が前記下り割当制御情報に対するＡＣＫを受信した場合、リソース割当終了完了と判定し、前記受信手段が前記下りデータに対するＮＡＣＫを受信した場合、リソース割当終了見逃しと判断する判断手段と、
前記判断手段が、リソース割当終了見逃しと判断した場合、リソース割当終了時の前記下り割当制御情報の再送制御をする制御手段と、
を具備する基地局装置。
【請求項６】
下り制御リソースで送信された下り割当制御情報、及び、前記下り割当制御情報が示す下りデータリソースで周期的に送信された下りデータを受信し、
前記受信された下りデータの受信誤りを検出し、
前記受信された下り割当制御情報に基づいて、リソース割当終了か否かを判定し、
前記下り割当制御情報により通知されたデータ応答リソースを用いて、前記受信誤りの検出結果に応じたＡＣＫ／ＮＡＣＫが送信され、リソース割当終了と判定された場合、前記データ応答リソースと同じリソースを用いて、前記下り割当制御情報に対する応答信号として、ＡＣＫが送信される、
フィードバック方法。
【請求項７】
リソース割当開始時に、下りデータを下りデータリソースを用いて周期的に送信し、前記下りデータリソースの情報及び前記下りデータの誤り結果に応じたＡＣＫ／ＮＡＣＫを送信する制御応答リソースを含む下り割当制御情報を送信し、リソース割当終了時に、リソース割当終了を示す情報を含む前記下り割当制御情報を送信し、
前記下りデータの誤り結果に応じたＡＣＫ／ＮＡＣＫ、及び、前記下り割当制御情報に対するＡＣＫを、前記制御応答リソースで受信し、
リソース割当終了時に、前記下り割当制御情報に対するＡＣＫを受信した場合、リソース割当終了完了と判定し、前記下りデータに対するＮＡＣＫを受信した場合、リソース割当終了見逃しと判断し、
リソース割当終了見逃しと判断した場合、リソース割当終了時の前記下り割当制御情報の再送制御をする、
再送制御方法。
【発明の詳細な説明】
【技術分野】
【０００１】
本発明は、端末装置、基地局装置、フィードバック方法及び再送制御方法に関する。
【背景技術】
【０００２】
近年、２．５ＧＨｚ帯を中心に、モバイルＷｉＭＡＸのサービスが世界各国で次々と始まっている。さらに、ＩＥＥＥでは、ＩＭＴ−Ａｄｖａｎｃｅｄ（International Mobile Telecommunication Advanced）の候補技術として提案すべく、次期モバイルＷｉＭＡＸの規格となるＩＥＥＥ８０２．１６ｍの標準化が急ピッチで進められている（非特許文献１参照）。【０００３】
ＩＥＥＥ８０２．１６ｍでは、基地局装置（以下「基地局」と略記する）は、端末装置（以下「端末」と略記する）に対し同一のリソースを定期的に割り当てる。この割り当て方法は、Persistent Allocation（ＰＡ）と呼ばれる。図１を用いて、Persistent Allocation（ＰＡ）について説明する。【０００４】
図１は、Persistent Allocation（ＰＡ）が適用される場合に、下り回線（Downlink：ＤＬ）及び上り回線（Uplink：ＵＬ）に割り当てられるリソースを示している。【０００５】
図１のＤＬにおいてFrame 0に割り当てられた“ＰＡ  Ａ−ＭＡＰ（Advanced MAP）”は、Persistent Allocation（ＰＡ）の下り割当制御情報を割り当てる下り割当制御チャネルである。基地局は、ＰＡ  Ａ−ＭＡＰを用いて、ＰＡ割当対象の端末にＰＡ開始（リソース割当開始）指示を通知する。また、図１のＤＬにおいてFrame 0に割り当てられた“Ｄａｔａ”は、下りデータチャネルであり、図１に示す例では、２フレームを周期として、下りデータチャネルが定期的に割り当てられている。【０００６】
上記下り割当制御チャネル（ＰＡ  Ａ−ＭＡＰ）は、「ＰＡ開始（PA）」、「ＰＡ割当変更（PA deallocation）」及び「ＰＡ終了（PA release）」時に、基地局から端末に通知される。図１は、基地局が、Frame 0で「ＰＡ開始」を指示するＰＡ  Ａ−ＭＡＰを端末に送信し、Frame 4で「ＰＡ割当変更」を指示するＰＡ  Ａ−ＭＡＰを送信している例である。【０００７】
「ＰＡ開始」時に送信されるＰＡ  Ａ−ＭＡＰには、下りデータチャネルを割り当てる下りリソースの周期、下りリソースの位置、及び、下りデータに対するＡＣＫ／ＮＡＣＫ（Acknowledgment／Negative Acknowledgment）リソース（以下「データ応答リソース」ともいう）等の情報が含まれている。端末は、ＰＡ  Ａ−ＭＡＰに含まれる下りリソースの周期及び位置の情報に基づいて下りデータを受信し、受信した下りデータに対するＡＣＫ／ＮＡＣＫを、データ応答リソースを用いて送信する。【０００８】
データ応答リソースを示す情報としては、ＨＦＡ（HARQ Feedback Allocation）を用いることができる。ＨＦＡは、データ応答リソースのリソース番号を示している。なお、下りデータ及び下り割当制御情報に対するＡＣＫ／ＮＡＣＫが送信されるチャネルは、ＨＦＢＣＨ（HARQ Feedback Channel）と呼ばれる。なお、ＨＦＢＣＨは、１単位あたり６チャネルで構成される。ＨＦＡは４ビットで構成されるので、ＨＦＡによりＨＦＢＣＨの２単位分のリソース番号を指定することができる。図２は、ＨＦＡとＨＦＢＣＨとの対応例を示している。【０００９】
例えば、図１に示すように、基地局が「ＰＡ開始」時に、Frame 0で、ＨＦＡ＝０を送信する場合、端末は、ＨＦＡ＝０に対応するＨＦＢＣＨ＿Ａ−０（図２参照）を用いて、下りデータに対するＡＣＫ／ＮＡＣＫを送信する。【００１０】
「ＰＡ割当変更」指示を通知するＰＡ  Ａ−ＭＡＰには、割当領域の変更指示、及び、下り割当制御情報に対するＡＣＫ／ＮＡＣＫリソース（以下「制御応答リソース」という）の情報が含まれている。割当領域の変更指示には、変更後の下りデータリソースのリソースサイズ及び位置の情報が含まれている。なお、制御応答リソースを示す情報としては、データ応答リソースと同様に、ＨＦＡを用いることができる。【００１１】
端末は、割当領域の変更指示により指示される下りデータリソースのリソースサイズ及び位置に基づいて当該リソースに割当変更された下りデータを受信する。そして、端末は、受信した下りデータに対するＡＣＫ／ＮＡＣＫを、データ応答リソースを用いて送信するとともに、下り割当制御情報に対するＡＣＫ／ＮＡＣＫを、制御応答リソースを用いて送信する。【００１２】
具体的には、図１に示すように、基地局が「ＰＡ割当変更」時に、Frame 4で、ＨＦＡ＝１を送信する場合、端末は、ＨＦＡ＝１に対応するＨＦＢＣＨ＿Ａ−１（図２参照）を用いて、下り割当制御情報に対するＡＣＫ／ＮＡＣＫを送信する。なお、このとき、端末は、「ＰＡ開始」時に下りデータに対するＡＣＫ／ＮＡＣＫを送信するのに用いられたデータ応答リソースであるＨＦＢＣＨ＿Ａ−０を用いて、「ＰＡ割当変更」時の下りデータに対するＡＣＫ／ＮＡＣＫを送信する。【００１３】
このように、「ＰＡ割当変更」時には、端末は、下りデータに対するＡＣＫ／ＮＡＣＫと、下り割当制御チャネルに対するＡＣＫ／ＮＡＣＫとを、異なる上りリソースを用いて送信する。【００１４】
図３は、「ＰＡ終了」時に、下り回線（ＤＬ）及び上り回線（ＵＬ）に割り当てられるリソースを示している。【００１５】
「ＰＡ終了」指示を通知するＰＡ  Ａ−ＭＡＰには、割当領域の変更指示、及び、下り割当制御情報に対するＡＣＫ／ＮＡＣＫリソース（制御応答リソース）の情報が含まれている。なお、「ＰＡ終了」時には、基地局は、割当領域の変更指示において下りデータリソースのリソースサイズを０としたＰＡ  Ａ−ＭＡＰを送信する。つまり、「ＰＡ終了」は、「ＰＡ割当変更」の特別なケースといえる。端末は、割当領域の変更指示により指示される下りデータリソースのリソースサイズが０の場合、基地局から「ＰＡ終了」が通知されたと認識する。そして、端末は、下り割当制御情報に対するＡＣＫ／ＮＡＣＫを、制御応答リソースを用いて送信する。【００１６】
具体的には、図３に示すように、基地局が「ＰＡ終了」時に、Frame 4で、ＨＦＡ＝１を送信する場合、端末は、ＨＦＡ＝１に対応するＨＦＢＣＨ＿Ａ−１（図２参照）を用いて、下り割当制御情報に対するＡＣＫ／ＮＡＣＫを送信する。なお、「ＰＡ割当変更」時には、下りデータは存在しないので、端末は、下りデータに対するＡＣＫ／ＮＡＣＫの送信が不要となる。このように、「ＰＡ終了」時、端末は、下り割当制御情報に対するＡＣＫ／ＮＡＣＫのみを制御応答リソースを用いて送信する。
【先行技術文献】
【非特許文献】
【００１７】
【非特許文献１】"Part 16:Air Interface for Fixed and Mobile Broadband Wireless Access Systems",802.16m-09/0010r2(working document) June 2008
【発明の概要】
【発明が解決しようとする課題】
【００１８】
しかしながら、ある端末が、Frame 4で「ＰＡ終了」時のＰＡ  Ａ−ＭＡＰの受信に失敗し、「ＰＡ終了」を見逃してしまった場合、他の端末との衝突が起こる場合がある。図４を用いて、端末同士の衝突について説明する。以下では、基地局が、Frame 4で、端末＃１に「ＰＡ終了」指示を通知するＰＡ  Ａ−ＭＡＰを送信するとともに、Frame 4で、端末＃２に「ＰＡ開始」指示を通知するＰＡ  Ａ−ＭＡＰを送信した場合を考える。【００１９】
端末＃１は、Frame 4で通知される「ＰＡ終了」時のＰＡ  Ａ−ＭＡＰの受信に失敗し、「ＰＡ終了」を見逃してしまうと、「ＰＡ開始」時のＰＡ  Ａ−ＭＡＰで指示される下りリソースで、基地局から下りデータが送信されていると判断する。そのため、実際には、基地局は端末＃１に対して下りデータを送信していないにも関わらず、端末＃１は、データ応答リソース（ＨＦＢＣＨ＿Ａ−０）を用いて、下りデータに対するＮＡＣＫを基地局に送信する。【００２０】
このとき、基地局から端末＃２に送信される「ＰＡ開始」時のＰＡ  Ａ−ＭＡＰに、ＨＦＡ＝０を指示するデータ応答リソースの情報が含まれる場合、端末＃２は、ＨＦＡ＝０に対応するＨＦＢＣＨ＿Ａ−０で、下りデータに対するＡＣＫ／ＮＡＣＫを基地局に送信する。【００２１】
したがって、端末＃１が「ＰＡ終了」を見逃してしまった場合には、図４に示すように、端末＃１及び端末＃２の双方から、同じデータ応答リソース（ＨＦＢＣＨ＿Ａ−０）が用いられてデータに対するＡＣＫ／ＮＡＣＫが送信され、衝突が起こる。【００２２】
本発明の目的は、複数の端末の応答信号の衝突を回避することができる端末装置、基地局装置、フィードバック方法及び再送制御方法を提供することである。
【課題を解決するための手段】
【００２３】
本発明の端末装置の一つの態様は、下り制御リソースで送信された下り割当制御情報、及び、前記下り割当制御情報が示す下りデータリソースで周期的に送信された下りデータを受信する受信手段と、前記受信された下りデータの受信誤りを検出する誤り検出手段と、前記受信された下り割当制御情報に基づいて、リソース割当終了か否かを判定する判定手段と、前記誤り検出手段で得られた誤り検出結果、及び、前記判定手段で得られた判定結果に基づいて、前記下りデータ及び前記下り割当制御情報の再送制御に用いられる応答信号の送信を制御する応答制御手段と、を具備し、前記応答制御手段は、前記下り割当制御情報により通知されたデータ応答リソースを用いて、前記誤り検出結果に応じたＡＣＫ／ＮＡＣＫを送信し、前記判定手段がリソース割当終了と判定した場合、前記データ応答リソースと同じリソースを用いて、前記下り割当制御情報に対する応答信号として、ＡＣＫを送信する。【００２４】
本発明の基地局装置の一つの態様は、リソース割当開始時に、下りデータを下りデータリソースを用いて周期的に送信し、前記下りデータリソースの情報及び前記下りデータの誤り結果に応じたＡＣＫ／ＮＡＣＫを送信する制御応答リソースを含む下り割当制御情報を送信し、リソース割当終了時に、リソース割当終了を示す情報を含む前記下り割当制御情報を送信する送信手段と、前記下りデータの誤り結果に応じたＡＣＫ／ＮＡＣＫ、及び、前記下り割当制御情報に対するＡＣＫを、前記制御応答リソースで受信する受信手段と、リソース割当終了時に、前記受信手段が前記下り割当制御情報に対するＡＣＫを受信した場合、リソース割当終了完了と判定し、前記受信手段が前記下りデータに対するＮＡＣＫを受信した場合、リソース割当終了見逃しと判断する判断手段と、前記判断手段が、リソース割当終了見逃しと判断した場合、リソース割当終了時の前記下り割当制御情報の再送制御をする制御手段と、を具備する。【００２５】
本発明のフィードバック方法の一つの態様は、下り制御リソースで送信された下り割当制御情報、及び、前記下り割当制御情報が示す下りデータリソースで周期的に送信された下りデータを受信し、前記受信された下りデータの受信誤りを検出し、前記受信された下り割当制御情報に基づいて、リソース割当終了か否かを判定し、前記下り割当制御情報により通知されたデータ応答リソースを用いて、前記受信誤りの検出結果に応じたＡＣＫ／ＮＡＣＫが送信され、リソース割当終了と判定された場合、前記データ応答リソースと同じリソースを用いて、前記下り割当制御情報に対する応答信号として、ＡＣＫが送信される。【００２６】
本発明の再送制御方法の一つの態様は、リソース割当開始時に、下りデータを下りデータリソースを用いて周期的に送信し、前記下りデータリソースの情報及び前記下りデータの誤り結果に応じたＡＣＫ／ＮＡＣＫを送信する制御応答リソースを含む下り割当制御情報を送信し、リソース割当終了時に、リソース割当終了を示す情報を含む前記下り割当制御情報を送信し、前記下りデータの誤り結果に応じたＡＣＫ／ＮＡＣＫ、及び、前記下り割当制御情報に対するＡＣＫを、前記制御応答リソースで受信し、リソース割当終了時に、前記下り割当制御情報に対するＡＣＫを受信した場合、リソース割当終了完了と判定し、前記下りデータに対するＮＡＣＫを受信した場合、リソース割当終了見逃しと判断し、リソース割当終了見逃しと判断した場合、リソース割当終了時の前記下り割当制御情報の再送制御をする。
【発明の効果】
【００２７】
本発明によれば、複数の端末の応答信号の衝突を回避することができる。
【図面の簡単な説明】
【００２８】
【図１】Persistent Allocation（ＰＡ）について説明するための図
【図２】ＨＦＡとＨＦＢＣＨとの対応例を示す図
【図３】ＰＡ終了を説明するための図
【図４】他の端末との衝突を説明するための図
【図５】本発明の本実施の形態１に係る基地局の要部構成を示すブロック図
【図６】実施の形態１に係る端末の要部構成を示すブロック図
【図７】実施の形態１におけるＰＡ終了時の動作を説明するための図
【図８】「ＰＡ終了」時において想定される、下り割当制御情報及び下りデータに対するＡＣＫ／ＮＡＣＫ／ＤＴＸの組み合わせを示す図
【図９】再送制御部における判定フローを示す図
【図１０】他の端末との衝突回避を説明するための図
【図１１】ＨＦＡとＨＦＢＣＨとの対応例を示す図
【図１２】本発明の実施の形態２におけるＰＡ終了タイミングの通知方法を説明するための図
【図１３】実施の形態２におけるＰＡ終了タイミングの通知方法を説明するための別の図
【図１４】ＨＦＡとＨＦＢＣＨ又はタイミングとの対応例を示す図
【図１５】本発明の実施の形態３におけるＨＦＡとＨＦＢＣＨ又は再送通知との対応例を示す図
【図１６】実施の形態３に係る基地局及び端末の動作を説明するためのフロー図
【図１７】「ＰＡ終了」指示が初回送信の場合を説明するための図
【図１８】「ＰＡ終了」指示が再送の場合を説明するための図
【図１９】下り制御リソースの先頭リソースの周波数と、応答リソースとの対応例を示す図
【図２０】ＨＦＡを明示的に通知しない場合を説明するための図
【図２１】ＨＦＡを明示的に通知しない場合を説明するための別の図
【図２２】ＨＦＡを明示的に通知しない場合を説明するためのさらに別の図
【発明を実施するための形態】
【００２９】
以下、本発明の実施の形態について、図面を参照して詳細に説明する。
【００３０】
本発明者らは、以下の点に着目した。
【００３１】
［１］「ＰＡ割当変更（PA deallocation）」時について
各端末は、基地局から送信される、「ＰＡ割当変更（PA deallocation）」指示を通知するための下り割当制御チャネル（ＰＡ  Ａ−ＭＡＰ）を受信する。なお、ＰＡ割当対象の端末が複数有る場合に、これら端末同士を区別するために、下り割当制御チャネルに割り当てられる下り割当制御情報には、宛先端末の端末ＩＤでマスキングされたＣＲＣ（Cyclic Redundancy Check）ビットが含まれている。端末は、受信した下り割当制御チャネルのＣＲＣを、自装置のＩＤを用いてデマスキングする。そして、ＣＲＣ結果がＯＫの場合、端末は、自装置宛の下り割当制御情報であると判断して、基地局にＡＣＫを送信する。一方、ＣＲＣ結果がＮＧの場合、端末は、自装置当ての下り割当制御情報でないと判断して、何も送信しない（ＤＴＸ：Discontinuous Transmission）。
【００３２】
すなわち、「ＰＡ割当変更」時の下り割当制御情報に対するフィードバックとしては、ＡＣＫ又はＤＴＸであり、ＮＡＣＫを用意する必要がない。
【００３３】
［２］「ＰＡ終了」時について
基地局から、「ＰＡ終了」指示を通知するための下り割当制御チャネル（ＰＡ  Ａ−ＭＡＰ）が送信されると、以降下りデータは送信されないため、端末は、下りデータに対するフィードバックとして、ＡＣＫを用意する必要がない。
【００３４】
また、端末が、当該下り割当制御チャネル（ＰＡ  Ａ−ＭＡＰ）を見逃してしまった場合には、端末は、基地局から下りデータが送信されていないのにも関わらず、下りデータを受信できなかったとして、基地局にＮＡＣＫを送信する。
【００３５】
また、端末が、当該下り割当制御チャネル（ＰＡ  Ａ−ＭＡＰ）を見逃さず、「ＰＡ終了」を認識した場合には、端末は、基地局から下りデータが送信されていないと分かるので、下りデータに対するフィードバックとして、ＡＣＫを用意する必要がない。
【００３６】
すなわち、「ＰＡ終了」時の下りデータに対するフィードバックとしては、ＮＡＣＫ又はＤＴＸであり、ＡＣＫを用意する必要がない。
【００３７】
本発明者らは、これらの点に着目し、「ＰＡ終了」時における下り割当制御チャネル（Ａ−ＭＡＰ）を見逃した場合においても、複数の端末の応答信号が衝突するのを回避することができる基地局、端末、フィードバック方法及び再送制御方法を提案する。
【００３８】
（実施の形態１）
図５は、本実施の形態に係る基地局１００の要部構成を示すブロック図である。
【００３９】
ＰＡ割当制御部１０１は、例えば、各端末からの要求に応じて、「ＰＡ開始」、「ＰＡ割当変更」、又は、「ＰＡ終了」のうちどれを行うか否か決定する。ＰＡ割当制御部１０１は、決定結果を下り割当制御情報生成部１０２及び再送制御部１０６に出力する。
【００４０】
下り割当制御情報生成部１０２は、「ＰＡ開始」時には、下りデータチャネルを割り当てる下りデータリソースの周期、下りデータリソースのリソースサイズ及び位置、及び、下りデータに対するＡＣＫ／ＮＡＣＫリソース（データ応答リソース）を決定し、これらの情報を生成し、変調部１０８に出力する。なお、以下では、「ＰＡ開始」時にデータ応答リソースを指示するインジケータとして、ＨＦＡ番号を用いる場合を例に説明する。図２に示したように、ＨＦＡ番号と応答リソースのチャネル（ＨＦＢＣＨ）とは、１対１に対応している。
【００４１】
また、「ＰＡ割当変更」時には、下り割当制御情報生成部１０２は、割当領域の変更指示、及び、下り割当制御情報に対するＡＣＫ／ＮＡＣＫリソース（制御応答リソース）を決定し、これらの情報を変調部１０８に出力する。割当領域の変更指示には、変更後の下りデータリソースのリソースサイズ及び位置の情報が含まれている。過去に割当変更の変更指示により通知された下りデータリソースのリソースサイズ又は位置の情報と異なる情報が通知された場合、端末は、「ＰＡ割当変更」が通知されたとわかる。なお、制御応答リソースを指示するインジケータとしては、データ応答リソースと同様に、ＨＦＡ番号を用いることができる。
【００４２】
また、「ＰＡ終了」時には、下り割当制御情報生成部１０２は、下りデータリソースのリソースサイズを０とし、この情報を変調部１０８に出力する。下りデータリソースのリソースサイズが０の場合、端末は、「ＰＡ終了」が通知されたとわかる。
【００４３】
なお、下り割当制御情報生成部１０２は、データ応答リソース及び制御応答リソースの情報を、ＡＣＫ／ＮＡＣＫ／ＤＴＸ判定部１０５に出力する。
【００４４】
無線受信部１０３は、端末から送信された信号を受信アンテナを介して受信し、受信信号に対し、ダウンコンバート、Ａ／Ｄ変換、ＦＦＴ（Fast Fourier Transform）処理等の受信処理を行う。
【００４５】
復調部１０４は、無線受信処理後の受信信号を復調する。
【００４６】
ＡＣＫ／ＮＡＣＫ／ＤＴＸ判定部１０５は、下り割当制御情報生成部１０２から通知されるデータ応答リソース又は制御応答リソース（以下、これらリソースを「上り応答リソース」という）の情報に基づいて、復調後の受信信号から、上り応答リソースで送信された応答信号を抽出する。そして、ＡＣＫ／ＮＡＣＫ／ＤＴＸ判定部１０５は、抽出した応答信号がＡＣＫ又はＮＡＣＫのいずれかを示しているか、もしくはＤＴＸであるかを判定する。例えば、ＡＣＫ／ＮＡＣＫ／ＤＴＸ判定部１０５は、応答信号の電力が所定の閾値未満であれば、端末が当該上り応答リソースを用いてＡＣＫもＮＡＣＫも送信していない（ＤＴＸ）と判定する。一方、応答信号の電力が所定の閾値以上であれば、更に当該応答信号がＡＣＫまたはＮＡＣＫのいずれを示しているか判定する。そして、ＡＣＫ／ＮＡＣＫ／ＤＴＸ判定部１０５は、応答信号がＡＣＫ、ＮＡＣＫまたはＤＴＸのいずれかであるかを示す判定結果を再送制御部１０６に出力する。
【００４７】
再送制御部１０６は、ＰＡ割当制御部１０１からの決定結果と、ＡＣＫ／ＮＡＣＫ／ＤＴＸ判定部１０５からの判定結果とに基づいて、端末が「ＰＡ開始」、「ＰＡ割当変更」の完了又は見逃し、「ＰＡ終了」の完了又は見逃しのうち、いずれの状態であると認識しているか判定する。ＰＡ割当制御部１０１からの決定結果には、基地局１００が、「ＰＡ開始」、「ＰＡ割当変更」、又は、「ＰＡ終了」のうちどれを行うと決定したかについての情報が含まれている。また、再送制御部１０６は、ＰＡ割当制御部１０１からの決定結果と、ＡＣＫ／ＮＡＣＫ／ＤＴＸ判定部１０５からの判定結果とに基づいて、端末が、下りデータを正しく受信できたか否かを判定する。再送制御部１０６における判定方法については、後述する。再送制御部１０６は、判定結果を初回送信・再送データ生成部１０７及び下り割当制御情報生成部１０２に出力する。
【００４８】
初回送信・再送データ生成部１０７は、再送制御部１０６からの判定結果に基づいて、初回送信用又は再送用下りデータのいずれかを変調部１０９に出力する。具体的には、判定結果が誤り有りを示す場合、初回送信・再送データ生成部１０７は、再送用下りデータを変調部１０９に出力する。一方、判定結果が誤り無しを示す場合、初回送信・再送データ生成部１０７は、初回送信用下りデータを変調部１０９に出力する。
【００４９】
下り割当制御情報生成部１０２は、再送制御部１０６からの判定結果に基づいて、下り割当制御情報を変調部１０８に出力する。具体的には、再送制御部１０６からの判定結果が、「ＰＡ割当変更」の見逃し、「ＰＡ終了」の見逃しを含む場合、下り割当制御情報生成部１０２は、先の「ＰＡ割当変更」時における下り割当制御情報を変調部１０８に出力する。一方、再送制御部１０６からの判定結果が、「ＰＡ割当変更」の完了、「ＰＡ終了」の完了以外の場合に、ＰＡ割当制御部１０１が、他の端末に「ＰＡ開始」すると決定した場合、下り割当制御情報生成部１０２は、先に端末に通知したＨＦＡとは異なるＨＦＡを含む下り割当制御情報を生成し、当該下り割当制御情報を変調部１０８に出力する。
【００５０】
変調部１０８は、下り割当制御情報を変調する。
【００５１】
変調部１０９は、初回送信・再送データ生成部１０７からの初回送信用又は再送用下りデータを変調する。
【００５２】
割当部１１０は、変調された下りデータを、下り割当制御情報が示す下りデータリソースに割り当て、変調された下り割当制御情報を、ＰＡ  Ａ−ＭＡＰの下り制御リソースに割り当てる。
【００５３】
無線送信部１１１は、下りデータリソース及び下り制御リソースに割り当てされた変調信号に対し、ＩＦＦＴ（Inverse Fast Fourier Transform）処理、Ｄ／Ａ変換、増幅およびアップコンバート等の無線送信処理を行い、無線送信処理後の信号を送信アンテナを介して送信する。
【００５４】
図６は、本実施の形態に係る端末２００の要部構成を示すブロック図である。
【００５５】
無線受信部２０１は、基地局１００から送信された下り割当制御チャネル（Ａ−ＭＡＰ）及び下りデータチャネル（Ｄａｔａ）に割り当てられた信号を受信アンテナを介して受信し、受信信号に対しダウンコンバート、Ａ／Ｄ変換、ＦＦＴ処理等の受信処理を行う。
【００５６】
復調部２０２は、無線受信処理後の信号を復調する。
【００５７】
制御情報復号部２０３は、復調信号から下り割当制御情報を抽出し、下り割当制御情報を復号する。具体的には、制御情報復号部２０３は、下り割当制御情報のＣＲＣを、自装置のＩＤを用いてデマスキングする。そして、ＣＲＣ結果がＯＫの場合、制御情報復号部２０３は、自装置宛の下り割当制御情報であると判断し、復号した自装置宛の下り割当制御情報を、ＰＡ判定部２０４に出力する。一方、ＣＲＣ結果がＮＧの場合、制御情報復号部２０３は、自装置宛ての下り割当制御情報でないと判断して、何もしない。
【００５８】
さらに、制御情報復号部２０３は、下り割当制御情報のうち、下りデータリソースのリソースサイズ及び位置の情報を、データ復号部２０５に出力する。
【００５９】
ＰＡ判定部２０４は、復号された下り割当制御情報に基づいて、基地局１００から「ＰＡ開始」、「ＰＡ割当変更」、又は、「ＰＡ終了」のいずれが通知されたか判定する。上述したように、下り割当制御情報には、下りデータリソースのリソースサイズ及び位置の情報、ＨＦＡ番号が含まれている。ＰＡ判定部２０４は、過去の下り割当制御情報を格納し、現在の下り割当制御情報と比較することにより、「ＰＡ開始」、「ＰＡ割当変更」、又は、「ＰＡ終了」のうち、いずれが通知されたか判定する。
【００６０】
例えば、ＰＡ判定部２０４は、過去のリソースサイズが０であり、現在のリソースサイズが０以外の場合、基地局１００から「ＰＡ開始」が通知されたと判定する。また、ＰＡ判定部２０４は、過去のリソースサイズ又は位置の情報に変更があった場合、基地局１００から「ＰＡ割当変更」が通知されたと判定する。また、ＰＡ判定部２０４は、過去のリソースサイズが０以外であり、現在のリソースサイズが０の場合、基地局１００から「ＰＡ終了」が通知されたと判定する。
【００６１】
ＰＡ判定部２０４は、判定結果を応答制御部２０７に出力する。また、ＰＡ判定部２０４は、下り割当制御情報からＨＦＡ番号を抽出し、ＨＦＡ番号を応答制御部２０７に出力する。
【００６２】
データ復号部２０５は、制御情報復号部２０３から通知される下りデータリソースのリソースサイズ及び位置の情報に基づいて、復調信号から下りデータを抽出し、抽出した下りデータを復号する。
【００６３】
誤り検出部２０６は、復号された下りデータに対し、例えば、ＣＲＣを用いて誤り検出し、誤り検出結果を、応答制御部２０７に出力する。
【００６４】
応答制御部２０７は、誤り検出部２０６で得られた誤り検出結果、及び、ＰＡ判定部２０４で得られた判定結果に基づいて、下りデータ及び下り割当制御情報の再送制御に用いられる応答信号の送信を制御する。応答制御部２０７における応答信号の送信制御の方法については、後述する。応答制御部２０７は、応答信号を割り当てる応答リソースの情報を割当部２０９に出力する。
【００６５】
変調部２０８は、応答制御部２０７からの応答信号を変調して、割当部２０９に出力する。
【００６６】
割当部２０９は、応答制御部２０７から通知される応答リソースに、変調された応答信号を割り当てる。
【００６７】
無線送信部２１０は、割当部２０９からの変調信号に対し、ＩＦＦＴ処理、Ｄ／Ａ変換、増幅およびアップコンバート等の無線送信処理を行い、無線送信処理後の信号を送信アンテナを介して送信する。
【００６８】
［基地局１００及び端末２００の動作］
以上の構成を有する基地局１００及び端末２００の動作について、図７を用いて説明する。
【００６９】
〈基地局１００によるリソース割当制御〉
基地局１００は、端末２００に対して、Frame 0で、「ＰＡ開始」指示を通知するＰＡ  Ａ−ＭＡＰ及びＤａｔａを送信し、Frame 2で、Ｄａｔａチャネルを送信する。なお、図７は、「ＰＡ開始」時に、下りデータに対する応答信号を割り当てるデータ応答リソースとして、ＨＦＢＣＨ−Ａ＿０を用いるよう、下り割当制御情報生成部１０２が、ＨＦＡ＝０の下り割当制御情報を生成した例である。
【００７０】
また、基地局１００は、端末２００に対して、Frame 4で、「ＰＡ終了」指示を通知するＰＡ  Ａ−ＭＡＰを送信する。なお、「ＰＡ終了」指示を通知するために、下り割当制御情報生成部１０２は、リソースサイズ＝０の下り割当制御情報を生成する。
【００７１】
〈端末２００による下りデータの受信〉
端末２００では、制御情報復号部２０３が、ＰＡ  Ａ−ＭＡＰに自装置宛の下り割当制御情報が含まれているか否かを判定し、自身宛の下り割当制御情報をＰＡ判定部２０４へ出力する。また、制御情報復号部２０３は、自装置宛の下り割当制御情報から下りリソースの位置の情報を取得し、取得した下りリソースの位置の情報をデータ復号部２０５に出力する。
【００７２】
データ復号部２０５は、制御情報復号部２０３から受け取る下りリソースの位置の情報に基づいて、受信信号から下りデータを抽出する。
【００７３】
こうして端末２００は、基地局１００から送信された下りデータを受信する。
【００７４】
〈端末２００による応答〉
誤り検出部２０６は、受信に成功した下りデータについて誤り検出を行い、誤り検出結果を応答制御部２０７へ出力する。
【００７５】
そして、応答制御部２０７は、誤り検出部２０６から受け取る誤り検出結果、ＰＡ判定部２０４から受け取る判定結果、及び、下りリソースの情報に基づいて、次のように応答信号の送信制御を行う。
【００７６】
［１］ＰＡ判定部２０４からの判定結果が「ＰＡ終了」以外を示す場合
応答制御部２０７は、下りデータの誤り検出結果を示す応答信号を生成する。さらに、応答制御部２０７は、下りデータの誤り検出結果を示す応答信号を割り当てるデータ応答リソースの情報を割当部２０９に出力する。例えば、応答制御部２０７は、「ＰＡ開始」時に下り割当制御情報に含まれるＨＦＡ番号に対応したＨＦＢＣＨの情報を、データ応答リソースの情報として、割当部２０９に出力する。
【００７７】
［２］ＰＡ判定部２０４からの判定結果が「ＰＡ割当変更」又は「ＰＡ終了」を示す場合
応答制御部２０７は、「ＰＡ割当変更」又は「ＰＡ終了」指示を通知する下り割当制御情報の受信に成功したことを示すＡＣＫを、応答信号として生成する。さらに、応答制御部２０７は、ＡＣＫを割り当てる制御応答リソースの情報を割当部２０９に出力する。
【００７８】
具体的には、ＰＡ判定部２０４からの判定結果が「ＰＡ割当変更」を示す場合、応答制御部２０７は、「ＰＡ割当変更」時に下り割当制御情報に含まれるＨＦＡ番号に対応したＨＦＢＣＨの情報を、制御応答リソースの情報として、割当部２０９に出力する。また、ＰＡ判定部２０４からの判定結果が「ＰＡ終了」を示す場合、応答制御部２０７は、制御応答リソースに、下りデータに対する応答信号を割り当てるデータ応答リソースと同一のリソースを用いるとして、データ応答リソースの情報を割当部２０９に出力する。
【００７９】
このように、ＰＡ判定部２０４からの判定結果が「ＰＡ終了」を示す場合、下り割当制御情報に対するＡＣＫは、下りデータに対する応答信号が割り当てられるデータ応答リソースと同じリソースが用いられて、基地局１００にフィードバックされる。なお、ＰＡ判定部２０４からの判定結果が「ＰＡ開始」を示す場合、端末２００は、「ＰＡ開始」指示を通知する下り割当制御情報の受信成否に対応する応答信号を基地局１００に送信しない。
【００８０】
図７を参照して説明すると、端末２００は、Frame 0及びFrame 2で、Ｄａｔａに対するＡＣＫ／ＮＡＣＫを応答信号として、ＨＦＢＣＨ−Ａ＿０で基地局１００にフィードバックする。また、端末２００は、Frame 4で、「ＰＡ終了」指示を通知する下り割当制御情報の受信に成功し、「ＰＡ終了」と判定した場合には、ＡＣＫを応答信号としてＨＦＢＣＨ−Ａ＿０で基地局１００にフィードバックする。また、Frame 4で、「ＰＡ終了」指示を通知する下り割当制御情報の受信に失敗し（見逃し）、「ＰＡ終了」でないと判定した場合には、端末２００は、同じ下りデータリソースで下りデータが到着すると待ち受ける。しかし、実際には、下りデータは送信されないため、端末２００は、ＮＡＣＫを応答信号としてＨＦＢＣＨ−Ａ＿０で基地局１００にフィードバックする。
【００８１】
このように、「ＰＡ終了」か否かの判定結果に基づいて、下りデータ及び下り割当制御情報の再送制御に用いられる応答信号の送信が制御される。
【００８２】
〈基地局１００による応答〉
再送制御部１０６は、ＰＡ割当制御部１０１からの決定結果と、ＡＣＫ／ＮＡＣＫ／ＤＴＸ判定部１０５からの判定結果とに基づいて、端末が「ＰＡ開始」、「ＰＡ割当変更」の完了又は見逃し、「ＰＡ終了」の完了又は見逃しのうち、いずれの状態であると認識しているか判定する。
【００８３】
［１］ＰＡ割当制御部１０１からの決定結果が「ＰＡ開始」を示す場合
ＡＣＫ／ＮＡＣＫ／ＤＴＸ判定部１０５は、下り割当制御情報生成部１０２から通知されるデータ応答リソースの情報に基づいて、復調後の受信信号から、データ応答リソースで送信された応答信号を抽出し、抽出した応答信号がＡＣＫ／ＮＡＣＫ／ＤＴＸのいずれであるかを判定する。
【００８４】
ＡＣＫ／ＮＡＣＫ／ＤＴＸ判定部１０５からの判定結果がＡＣＫの場合、再送制御部１０６は、端末が、下りデータの受信に成功したと判定し、その旨、初回送信・再送データ生成部１０７に通知する。この場合、初回送信・再送データ生成部１０７は、初回送信用の下りデータを変調部１０９に出力する。
【００８５】
ＡＣＫ／ＮＡＣＫ／ＤＴＸ判定部１０５からの判定結果がＮＡＣＫの場合、再送制御部１０６は、端末が、下り割当制御情報の受信に失敗したと判定し、その旨、下り割当制御情報生成部１０２に通知する。この場合、下り割当制御情報生成部１０２は、「ＰＡ開始」時に決定した下りデータチャネルを割り当てる下りデータリソースの周期、下りデータリソースのリソースサイズ及び位置、及び、下りデータに対するＡＣＫ／ＮＡＣＫリソース（データ応答リソース）の情報を変調部１０８に出力する。
【００８６】
［２］ＰＡ割当制御部１０１からの決定結果が「ＰＡ割当変更」を示す場合
ＡＣＫ／ＮＡＣＫ／ＤＴＸ判定部１０５は、下り割当制御情報生成部１０２から通知されるデータ応答リソース及び制御応答リソースの情報に基づいて、復調後の受信信号から、データ応答リソースで送信された応答信号と、制御応答リソースで送信された応答信号とを抽出し、抽出した各応答信号がＡＣＫ／ＮＡＣＫ／ＤＴＸのいずれであるかを判定する。
【００８７】
ＡＣＫ／ＮＡＣＫ／ＤＴＸ判定部１０５からの下り制御情報に対する判定結果がＡＣＫの場合、再送制御部１０６は、端末２００が、ＰＡ割当変更（deallocation）指示の受信に成功したと判定する。そして、ＡＣＫ／ＮＡＣＫ／ＤＴＸ判定部１０５からの下りデータに対する判定結果がＡＣＫの場合、再送制御部１０６は、端末２００が、ＰＡ割当変更（deallocation）指示の受信に成功したと判定し、その旨、初回送信・再送データ生成部１０７に通知する。この場合、初回送信・再送データ生成部１０７は、初回送信用の下りデータを変調部１０９に出力する。
【００８８】
ＡＣＫ／ＮＡＣＫ／ＤＴＸ判定部１０５からの下り制御情報に対する判定結果がＮＡＣＫの場合、再送制御部１０６は、端末２００が、「ＰＡ割当変更」指示の受信に失敗した（見逃した）と判定し、その旨、初回送信・再送データ生成部１０７及び下り割当制御情報生成部１０２に通知する。この場合、初回送信・再送データ生成部１０７は、「ＰＡ割当変更」時に送信した下りデータを再送用下りデータとして変調部１０９に出力する。そして、下り割当制御情報生成部１０２は、「ＰＡ割当変更」時に送信した下り割当制御情報を変調部１０８に出力する。
【００８９】
［３］ＰＡ割当制御部１０１からの決定結果が「ＰＡ終了」を示す場合
ＡＣＫ／ＮＡＣＫ／ＤＴＸ判定部１０５は、下り割当制御情報生成部１０２から通知されるデータ応答リソース及び制御応答リソースの情報に基づいて、復調後の受信信号から、データ応答リソースで送信された応答信号を抽出し、抽出した応答信号がＡＣＫ／ＮＡＣＫ／ＤＴＸのいずれであるかを判定する。
【００９０】
ＡＣＫ／ＮＡＣＫ／ＤＴＸ判定部１０５からの判定結果がＡＣＫの場合、再送制御部１０６は、端末２００が、「ＰＡ終了」指示の受信に成功したと判定し、その旨、初回送信・再送データ生成部１０７に通知する。この場合、初回送信・再送データ生成部１０７は、初回送信用の下りデータを変調部１０９に出力する。
【００９１】
ＡＣＫ／ＮＡＣＫ／ＤＴＸ判定部１０５からの判定結果がＮＡＣＫの場合、再送制御部１０６は、端末２００が、「ＰＡ終了」指示の受信に失敗した（見逃した）と判定し、その旨、下り割当制御情報生成部１０２に通知する。下り割当制御情報生成部１０２は、「ＰＡ終了」時に送信した下り割当制御情報を変調部１０８に出力する。
【００９２】
図８及び図９を用いて、再送制御部１０６における「ＰＡ終了」指示の見逃し判定方法について説明する。
【００９３】
図８は、本実施の形態における再送制御を行った場合に、「ＰＡ終了」時において想定される、下り割当制御情報及び下りデータに対するＡＣＫ／ＮＡＣＫ／ＤＴＸの組み合わせを示している。また、図９は、再送制御部１０６における判定フローを示す図である。
【００９４】
図９に示すように、「ＰＡ終了」指示を通知する下り割当制御情報に対する応答信号がＡＣＫか否か判定し（ＳＴ１０１）、応答信号がＡＣＫの場合（下りデータに対する応答信号がＮ／Ａ（ＤＴＸ）の場合）、再送制御部１０６は、端末２００に正しく「ＰＡ終了」が通知されたと判定する（ＳＴ１０２）。
【００９５】
また、「ＰＡ終了」指示を通知する下り割当制御情報に対する応答信号がＮ／Ａ（ＤＴＸ）の場合（下りデータに対する応答信号がＮＡＣＫの場合）、再送制御部１０６は、端末２００に正しく「ＰＡ終了」が通知されず、「ＰＡ終了」指示を通知するＰＡ  Ａ−ＭＡＰが見逃されてしまったと判定する（ＳＴ１０３）。
【００９６】
以上のように、端末２００は、「ＰＡ終了」時に、「ＰＡ終了」指示を通知する下り割当制御情報の受信に成功したことを知らせるＡＣＫを、下りデータに対する応答信号を送信していたＨＦＢＣＨ−Ａ＿０で送信するようにする。これにより、ＰＡ終了を通知する下り割当制御情報の受信に失敗し、「ＰＡ終了」指示を通知するＰＡ  Ａ−ＭＡＰを見逃してしまった場合においても、以下で説明するように、他の端末との衝突を回避することができる。他の端末との衝突回避ができる点について、図１０を用いて説明する。
【００９７】
図１０は、Frame 4で、基地局１００が「ＰＡ終了」指示を端末２００に通知し、かつ、他の端末に「ＰＡ開始」する場合のＤＬとＵＬを示している。
【００９８】
基地局１００は、下りデータリソースのリソースサイズを０とする下り割当制御情報を送信することにより、「ＰＡ終了」指示を端末２００に通知する。端末２００が、この下り割当制御情報の受信に成功した場合、端末２００からは、ＨＦＢＣＨ−Ａ＿０で、ＡＣＫが送信される。一方、端末２００が、「ＰＡ終了」指示を通知するＰＡ  Ａ−ＭＡＰを見逃してしまった場合には、ＨＦＢＣＨ−Ａ＿０で、下りデータに対するＮＡＣＫが送信される。
【００９９】
一方、基地局１００は、他の端末に、データ応答リソースを指示するインジケータとしてＨＦＡ＝０（ＨＦＢＣＨ−Ａ＿０）とは異なるインジケータを通知する。図１０に示す例では、他の端末に対して、ＨＦＡ＝１（ＨＦＢＣＨ−Ａ＿１）が通知された例である。
【０１００】
上述したように、端末２００は、「ＰＡ終了」時に、「ＰＡ終了」指示を通知する下り割当制御情報の受信に成功したことを知らせるＡＣＫを、下りデータに対する応答信号を送信したＨＦＢＣＨ−Ａ＿０で送信する。また、端末２００が、「ＰＡ終了」指示を通知するＰＡ  Ａ−ＭＡＰを見逃してしまった場合においても、端末２００からは、下りデータに対するＮＡＣＫがＨＦＢＣＨ−Ａ＿０が用いられて送信される。このように、「ＰＡ終了」指示を通知する下り割当制御情報の受信の成功又は失敗に関わらず、端末２００からは、ＨＦＢＣＨ−Ａ＿０が用いられて応答信号が送信されるようになるので、端末２００と他の端末との間における衝突を回避することができる。
【０１０１】
また、基地局１００は、「ＰＡ開始」時に下り割当制御情報で通知したデータ応答リソースをモニタすることにより、端末２００が「ＰＡ終了」指示を通知する下り割当制御情報の受信に成功したか否か判定することができる。このように、本実施の形態では、端末２００は、下り割当制御情報に対するＡＣＫと、当該下り割当制御情報を見逃したことを示すＮＡＣＫとを、同じリソースで基地局１００にフィードバックすることができるので、端末２００と他の端末との間における上りリソースでの衝突を回避することができる。また、端末２００は、「ＰＡ終了」指示を通知する下り割当制御情報に対するＡＣＫ／ＮＡＣＫを、新たなリソースを追加することなく、下りデータに対するＡＣＫ／ＮＡＣＫを割り当てるデータ応答リソースを用いて、基地局１００に通知することができ、リソースの有効利用が図れる。
【０１０２】
以上のように、本実施の形態では、応答制御部２０７は、下り割当制御情報により通知されたデータ応答リソースを用いて、下りデータの誤り結果に応じたＡＣＫ／ＮＡＣＫを送信する。そして、ＰＡ判定部２０４が「ＰＡ終了」と判定した場合、応答制御部２０７は、データ応答リソースと同じリソースを用いて、下り割当制御情報に対する応答信号として、ＡＣＫを送信するよう制御する。
【０１０３】
上述したように、基地局１００は、リソースサイズが０を示す下り割当制御情報を端末２００に送信することにより、端末２００は、「ＰＡ終了」を判定することができる。このとき、基地局１００は、「ＰＡ終了」時の下り割当制御情報におけるＨＦＡを、「ＰＡ開始」時の下り割当制御情報におけるＨＦＡと同一の値に設定し、同一のリソースを割り当てるとする。これにより、端末２００は、「ＰＡ開始」時のＨＦＡを保持することなく、「ＰＡ終了」時のＨＦＡを用いても、下りデータに対する応答信号を割り当てるデータ応答リソースと同じリソースを用いて、「ＰＡ終了」時の下り割当制御情報に対する応答信号を基地局１００にフィードバックすることができる。
【０１０４】
なお、同じリソースを用いることを通知する方法は、上記に限られず、以下の方法＃１又は方法＃２を用いてもよい。
【０１０５】
［方法＃１］
図２に示したように、ＨＦＡには、ＨＦＢＣＨが割り当てられていないインデックスが４つある。図２において、ＨＦＡ番号１２，１３，１４，１５は、ＨＦＢＣＨが割り当てられていない番号である。そこで、図１１に示すように、ＨＦＢＣＨが割り当てられていないＨＦＡ番号１２，１３，１４，１５を、過去の下りデータに対する応答信号を割り当てたデータ応答リソースと同じリソースであることを示すインデックスに用いる。端末２００は、ＨＦＡ番号が１２，１３，１４，１５の場合、データ応答リソースを用いて、下り割当制御情報に対するＡＣＫを送信すると判定する。
【０１０６】
［方法＃２］
上述したように、端末２００は、一旦「ＰＡ開始」された後は、「ＰＡ終了」まで、データ応答リソースとして同じリソースを用いる。データ応答リソースの情報を示すＨＦＡは、「ＰＡ開始」時に基地局１００から端末２００に送信される下り割当制御情報に含まれる。したがって、端末２００は、ＰＡ開始時に通知されるＨＦＡを保持することにより、基地局１００が、下り割当制御情報に対するＡＣＫを割り当てるリソースの情報を、「ＰＡ終了」時に端末２００に通知せずとも、端末２００は、データ応答リソースを用いて、下り割当制御情報に対するＡＣＫを送信することができる。
【０１０７】
（実施の形態２）
本実施の形態では、「ＰＡ終了」のタイミングを通知する実施例について説明する。
【０１０８】
実施の形態１では、下り割当制御情報において、応答リソースを示す情報として、ＨＦＡを用いる場合について説明した。実施の形態１で述べたように、端末は、「ＰＡ終了」指示の受信に成功し、「ＰＡ終了」と判定した場合、データ応答リソースを用いて、下り割当制御情報に対するＡＣＫを送信する。そのため、実施の形態１の［方法＃２］で説明したように、基地局は、「ＰＡ終了」時に、必ずしも、データ応答リソースを示す情報を端末に通知する必要がない。そこで、本実施の形態では、ＨＦＡを利用して「ＰＡ終了」のタイミングを通知する。
【０１０９】
なお、実施の形態２に係る基地局及び端末の構成は実施の形態１と同様であるので、図５と図６を援用して説明する。
【０１１０】
［１］ＰＡ  Ａ−ＭＡＰが通知されたフレームで、「ＰＡ終了」する場合（図１２参照）
基地局１００は、端末２００に対して、Frame 0で、「ＰＡ開始」指示を通知するＰＡ  Ａ−ＭＡＰ及びＤａｔａを送信し、Frame 2で、Ｄａｔａチャネルのみを送信する。
【０１１１】
また、基地局１００は、端末２００に対して、Frame 4で、「ＰＡ終了」指示を通知するＰＡ  Ａ−ＭＡＰを送信する。なお、「ＰＡ終了」指示を通知するために、下り割当制御情報生成部１０２は、リソースサイズ＝０の下り割当制御情報を生成する。
【０１１２】
さらに、本実施の形態では、「ＰＡ終了」指示を通知したFrame 4で「ＰＡ終了」するように、下り割当制御情報生成部１０２は、「ＰＡ終了」時の下り割当制御情報に含まれるＨＦＡ番号を、「ＰＡ開始」時のＨＦＡ番号と同じ番号とする。このように、「ＰＡ終了」指示を通知したタイミングで「ＰＡ終了」する場合は、基地局１００は、「ＰＡ開始」時のＨＦＡ番号と同じ番号を通知する。
【０１１３】
端末２００は、ＰＡ判定部２０４からの判定結果が「ＰＡ終了」を示す場合に、「ＰＡ終了」指示における下り割当制御情報に含まれるＨＦＡ番号が、「ＰＡ開始」時のＨＦＡ番号と同じ場合、「ＰＡ終了」指示が通知されたフレームで、「ＰＡ終了」されると判定する。
【０１１４】
［２］ＰＡ  Ａ−ＭＡＰが通知された次のフレームで、「ＰＡ終了」する場合（図１３参照）
基地局１００は、端末２００に対して、Frame 0で、「ＰＡ開始」指示を通知するＰＡ  Ａ−ＭＡＰ及びＤａｔａを送信する。また、基地局１００は、端末２００に対して、Frame 4で、「ＰＡ終了」指示を通知するＰＡ  Ａ−ＭＡＰ及びＤａｔａを送信する。なお、「ＰＡ終了」指示を通知するために、下り割当制御情報生成部１０２は、リソースサイズ＝０の下り割当制御情報を生成する。
【０１１５】
さらに、本実施の形態では、「ＰＡ終了」指示を通知したFrame 2の次のＰＡ  Ａ−ＭＡＰタイミング（周期が２フレームの場合は、Frame 4）で「ＰＡ終了」するように、下り割当制御情報生成部１０２は、「ＰＡ終了」時の下り割当制御情報に含まれるＨＦＡ番号を、「ＰＡ開始」時のＨＦＡ番号と異なる番号とする。このように、「ＰＡ終了」指示を通知したタイミングの次のＰＡ  Ａ−ＭＡＰタイミングで「ＰＡ終了」する場合は、基地局１００は、「ＰＡ開始」時のＨＦＡ番号と異なる番号を通知（フェイクのＨＦＡ通知）する。
【０１１６】
端末２００は、ＰＡ判定部２０４からの判定結果が「ＰＡ終了」を示す場合に、「ＰＡ終了」指示における下り割当制御情報に含まれるＨＦＡ番号が、「ＰＡ開始」時のＨＦＡ番号と異なる場合、「ＰＡ終了」指示が通知されたタイミングの次のＰＡ  Ａ−ＭＡＰタイミングで、「ＰＡ終了」されると判定する。
【０１１７】
以上のように、本実施の形態では、下り割当制御情報は、「ＰＡ開始」時には、データ応答リソースを示すＨＦＡ番号を含み、「ＰＡ終了」時には、下り割当制御情報に対するＡＣＫを通知する制御応答リソースを示すＨＦＡ番号を含む。そして、ＰＡ判定部２０４は、制御応答リソースを示すＨＦＡ番号が、データ応答リソースを示すＨＦＡ番号と異なる場合、次の周期で「ＰＡ終了」が行われると判定する。
【０１１８】
このように、基地局１００は、「ＰＡ終了」指示を通知するタイミングと、実際に「ＰＡ終了」するタイミングとの一致又は不一致に応じて、「ＰＡ終了」時のＨＦＡを「ＰＡ開始」時のＨＦＡと同じ又は異なる番号に設定する。これにより、端末２００は、これらＨＦＡを対比することにより、「ＰＡ終了」のタイミングを判定することができる。
【０１１９】
なお、基地局１００は、ＨＦＡのインデックスを用いて、「ＰＡ終了」のタイミングを明示的に端末２００に通知するようにしてもよい。この場合のＨＦＡとＨＦＢＣＨ又はタイミングとの対応例を図１４に示す。
【０１２０】
図１４に示す例では、基地局１００は、「ＰＡ終了」指示を通知したタイミングの次のＰＡ  Ａ−ＭＡＰタイミングで、実際の「ＰＡ終了」することを通知する場合には、ＨＦＡ番号として１３又は１５を通知する。
【０１２１】
（実施の形態３）
実施の形態２では、基地局は、実際に「ＰＡ終了」するタイミングを端末に事前に通知する。このとき、基地局は、端末がＰＡ  Ａ−ＭＡＰを見逃した際の再送制御を、次のＰＡ  Ａ−ＭＡＰタイミングで端末からＡＣＫ／ＮＡＣＫが通知されるまで待たなければならなかった。
【０１２２】
本実施の形態では、「ＰＡ終了」を事前に通知する場合においても、ＰＡ  Ａ−ＭＡＰの見逃しを早期に行うことができる方法を提案する。
【０１２３】
なお、実施の形態３に係る基地局及び端末の構成は実施の形態１と同様であるので、図５と図６を援用して説明する。なお、本実施の形態では、端末２００が、基地局１００から通知された「ＰＡ終了」指示が、初回送信によるものか、再送によるものか、ＨＦＡのインデックスを用いて判断する場合について説明する。この場合のＨＦＡとＨＦＢＣＨ又は再送通知との対応例を図１５に示す。図１５に示す例では、基地局１００は、「ＰＡ終了」指示が再送によるものであることを通知するには、ＨＦＡ番号として１２〜１５を通知する。
【０１２４】
以下、図１６、図１７及び図１８を用いて、基地局１００及び端末２００の動作について説明する。なお、図１６は、基地局１００及び端末２００の動作を説明するためのフロー図である。
【０１２５】
（１）「ＰＡ終了」指示が初回送信の場合
基地局１００は、初回送信の「ＰＡ終了」指示を通知する場合、下り割当制御情報に、制御応答リソースを示すＨＦＡを通知する。このとき、端末２００は、下り割当制御情報に対するＡＣＫ／ＮＡＣＫを、制御応答リソースを用いて基地局１００にフィードバックする。
【０１２６】
例えば、図１７に示すように、制御応答リソースを示すＨＦＡとしてＨＦＡ＝１が通知され、端末２００が「ＰＡ終了」指示を通知する下り割当制御情報の受信に成功した場合（ＳＴ２０１：ＹＥＳ）、端末２００は、ＡＣＫを応答信号としてＨＦＢＣＨ−Ａ＿１で基地局１００にフィードバックする（ＳＴ２０２）。これにより、「ＰＡ終了」完了となる（ＳＴ２０３）。
【０１２７】
（２）「ＰＡ終了」指示が再送の場合
端末２００が「ＰＡ終了」指示を通知する下り割当制御情報の受信に失敗し（ＳＴ２０１：ＮＯ）、端末２００からＨＦＢＣＨ−Ａ＿１で基地局１００にＡＣＫがフィードバックされない場合（ＳＴ２０４）、基地局１００は、端末２００が初回送信の「ＰＡ終了」指示のＰＡ  Ａ−ＭＡＰを見逃したと判定する。このとき、基地局１００は、ＨＦＡの番号を変更してＰＡ  Ａ−ＭＡＰを再送する（ＳＴ２０５）。例えば、図１８に示すように、基地局１００は、ＨＦＡをＰＡ  Ａ−ＭＡＰが再送であることを示す１３に変更する。
【０１２８】
端末２００は、再送の「ＰＡ終了」指示を通知する下り割当制御情報の受信に成功した場合（ＳＴ２０６：ＹＥＳ）、実施の形態１と同様に、ＡＣＫを応答信号としてＨＦＢＣＨ−Ａ＿０で基地局１００にフィードバックする（ＳＴ２０７）。これにより、「ＰＡ終了」完了となる（ＳＴ２０８）。
【０１２９】
また、端末２００は、再送の「ＰＡ終了」指示を通知する下り割当制御情報の受信に失敗した場合（ＳＴ２０６：ＮＯ）、実施の形態１と同様に、下りデータに対するＮＡＣＫを応答信号としてＨＦＢＣＨ−Ａ＿０で基地局１００にフィードバックする（ＳＴ２０９）。以降、ＳＴ２０５に戻り、「ＰＡ終了」完了（ＳＴ２０８）となるまで、同様の処理を繰り返す。
【０１３０】
以上のように、本実施の形態では、下り割当制御情報のＨＦＡ番号は、「ＰＡ終了」指示の通知が初回送信であるか再送であるかを示す。そして、応答制御部２０７は、「ＰＡ終了」指示が初回送信の場合、制御応答リソースを用いて、下り割当制御情報に対する応答信号としてＡＣＫを送信する。また、応答制御部２０７は、「ＰＡ終了」が再送の場合、データ応答リソースを用いて、下り割当制御情報に対する応答信号としてＡＣＫを送信する。
【０１３１】
これにより、実施の形態２に比べ、ＰＡ  Ａ−ＭＡＰのＤＴＸ判断をＰＡ  Ａ−ＭＡＰ送信時に判断できるようになるので、再送を早く行うことができる。実施の形態１又は実施の形態２では、「ＰＡ終了」指示のＰＡ  Ａ−ＭＡＰの再送がFrame 4以降となるのに対し、本実施の形態では、図１８に示すように、Frame 3で「ＰＡ終了」指示のＰＡ  Ａ−ＭＡＰが再送されるようになる。
【０１３２】
（実施の形態４）
本実施の形態は、実施の形態１においてＨＦＡを明示的に通知しない場合の実施例である。
【０１３３】
例えば、３ＧＰＰ  ＬＴＥ（3rd Generation Partnership Project Radio Access Network Long Term Evolution）のように、シグナリング量の削減のために、ＨＦＡを明示的に通知しない場合がある。具体的には、ＰＡ  Ａ−ＭＡＰを割り当てる下り制御リソースの位置と応答リソースとが１対１対応となっている。簡単のために、下り制御リソースの位置を、下り制御リソースの先頭リソースの周波数で表す場合を例に、説明する。
【０１３４】
図１９は、下り制御リソースの先頭リソースの周波数と、応答リソースとの対応例を示す図である。
【０１３５】
図２０において、Frame 4での「ＰＡ終了」指示を通知するＰＡ  Ａ−ＭＡＰは、「ＰＡ開始」指示を通知するＰＡ  Ａ−ＭＡＰが割り当てられている下り制御リソースと同じ位置に割り当てられており、先頭リソースの周波数が“ｆ０”である。このとき、端末２００は、図１９に示すように、応答リソースとして、ＨＦＢＣＨ＿Ａ−０を用いる。以降、実施の形態１と同様に、当該応答リソースを用いて、端末２００は、下り割当制御情報に対する応答信号を基地局１００にフィードバックする。
【０１３６】
このように、ＰＡ  Ａ−ＭＡＰを割り当てる下り制御リソースの位置と応答リソースとを１対１対応とすることにより、基地局１００はＨＦＡを通知せずに済むため、シグナリング量を削減することができる。
【０１３７】
なお、図２１に示すように、ＰＡ  Ａ−ＭＡＰを割り当てる下り制御リソースの位置と応答リソースとを１対１対応とすることにより、実施の形態２に対しても、基地局１００はＨＦＡを通知せずに済み、シグナリング量を削減することができる。
【０１３８】
また、図２２に示すように、ＰＡ  Ａ−ＭＡＰを割り当てる下り制御リソースの位置と応答リソースとを１対１対応とすることにより、実施の形態３に対しても、基地局１００はＨＦＡを通知せずに済み、シグナリング量を削減することができる。
【０１３９】
なお、上記実施の形態ではアンテナとして説明したが、本発明はアンテナポート（antenna port）でも同様に適用できる。
【０１４０】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１４１】
例えば３ＧＰＰ  ＬＴＥにおいては、アンテナポートが何本の物理アンテナから構成されるかは規定されず、基地局が異なる参照信号（Reference signal）を送信できる最小単位として規定されている。
【０１４２】
また、アンテナポートはプリコーディングベクトル（Precoding vector）の重み付けを乗算する最小単位として規定されることもある。
【０１４３】
また、上記実施の形態では、本発明をハードウェアで構成する場合を例にとって説明したが、本発明はソフトウェアで実現することも可能である。
【０１４４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１４６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４７】
２００９年７月１０日出願の特願２００９−１６３３９６に含まれる明細書、図面及び要約書の開示内容は、すべて本願に援用される。
【産業上の利用可能性】
【０１４８】
本発明に係る端末装置、基地局装置、フィードバック方法及び再送制御方法は、複数の端末の応答信号の衝突を回避することができ、例えば、モバイルＷｉＭＡＸにおける端末装置等として有用である。
【符号の説明】
【０１４９】
１０１  ＰＡ割当制御部
１０２  下り割当制御情報生成部
１０３  無線受信部
１０４  復調部
１０５  ＡＣＫ／ＮＡＣＫ／ＤＴＸ判定部
１０６  再送制御部
１０７  初回送信・再送データ生成部
１０８，１０９  変調部
１１０  割当部
１１１  無線送信部
２０１  無線受信部
２０２  復調部
２０３  制御情報復号部
２０４  ＰＡ判定部
２０５  データ復号部
２０６  誤り検出部
２０７  応答制御部
２０８  変調部
２０９  割当部
２１０  無線送信部
【図１】
2011004613.tif 000003
【図２】
2011004613.tif 000004
【図３】
2011004613.tif 000005
【図４】
2011004613.tif 000006
【図５】
2011004613.tif 000007
【図６】
2011004613.tif 000008
【図７】
2011004613.tif 000009
【図８】
2011004613.tif 000010
【図９】
2011004613.tif 000011
【図１０】
2011004613.tif 000012
【図１１】
2011004613.tif 000013
【図１２】
2011004613.tif 000014
【図１３】
2011004613.tif 000015
【図１４】
2011004613.tif 000016
【図１５】
2011004613.tif 000017
【図１６】
2011004613.tif 000018
【図１７】
2011004613.tif 000019
【図１８】
2011004613.tif 000020
【図１９】
2011004613.tif 000021
【図２０】
2011004613.tif 000022
【図２１】
2011004613.tif 000023
【図２２】
2011004613.tif 000024
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
下り制御リソースで送信された下り割当制御情報、及び、前記下り割当制御情報が示す下りデータリソースで送信された下りデータを受信する受信手段と、
前記受信された下りデータの受信誤りを検出する誤り検出手段と、
前記受信された下り割当制御情報に基づいて、リソース割当終了か否かを判定する判定手段と、
前記誤り検出手段で得られた誤り検出結果、及び、前記判定手段で得られた判定結果に基づいて、前記下りデータ及び前記下り割当制御情報の再送制御に用いられる応答信号の送信を制御する応答制御手段と、を具備し、
前記応答制御手段は、前記下り割当制御情報により通知されたデータ応答リソースを用いて、前記誤り検出結果に応じたＡＣＫ／ＮＡＣＫを送信し、前記判定手段がリソース割当終了と判定した場合、前記データ応答リソースと同じリソースを用いて、前記下り割当制御情報に対する応答信号として、ＡＣＫを送信する、
端末装置。
【請求項２】
前記下り割当制御情報は、リソース割当開始時には、前記データ応答リソースの情報を含み、リソース割当終了時には、前記下り割当制御情報に対するＡＣＫを通知する制御応答リソースの情報を含み、
前記判定手段は、前記制御応答リソースが、前記データ応答リソースと異なる場合、次の送信でリソース割当終了が行われると判定する、
請求項１に記載の端末装置。
【請求項３】
前記下り割当制御情報は、リソース割当終了の通知が初回送信であるか再送であるかを示す初回送信・再送情報を含み、
前記応答制御手段は、前記初回送信・再送情報が初回送信を示す場合に、前記制御応答リソースを用いて、前記下り割当制御情報に対する応答信号としてＡＣＫを送信し、前記初回送信・再送情報が再送を示す場合に、前記データ応答リソースを用いて、前記下り割当制御情報に対する応答信号としてＡＣＫを送信する、
請求項１に記載の端末装置。
【請求項４】
前記判定手段は、前記下り制御リソースの位置に基づいて、前記制御応答リソースを判定する、
請求項１に記載の端末装置。
【請求項５】
リソース割当開始時に、下りデータリソースを用いて下りデータを送信し、前記下りデータリソースの情報及び前記下りデータの誤り結果に応じたＡＣＫ／ＮＡＣＫを送信する制御応答リソースを含む下り割当制御情報を送信し、リソース割当終了時に、リソース割当終了を示す情報を含む前記下り割当制御情報を送信する送信手段と、
前記下りデータの誤り結果に応じたＡＣＫ／ＮＡＣＫ、及び、前記下り割当制御情報に対するＡＣＫを、前記制御応答リソースで受信する受信手段と、
リソース割当終了時に、前記受信手段が前記下り割当制御情報に対するＡＣＫを受信した場合、リソース割当終了完了と判定し、前記受信手段が前記下りデータに対するＮＡＣＫを受信した場合、リソース割当終了見逃しと判断する判断手段と、
前記判断手段が、リソース割当終了見逃しと判断した場合、リソース割当終了時の前記下り割当制御情報の再送制御をする制御手段と、
を具備する基地局装置。
【請求項６】
下り制御リソースで送信された下り割当制御情報、及び、前記下り割当制御情報が示す下りデータリソースで送信された下りデータを受信し、
前記受信された下りデータの受信誤りを検出し、
前記受信された下り割当制御情報に基づいて、リソース割当終了か否かを判定し、
前記下り割当制御情報により通知されたデータ応答リソースを用いて、前記受信誤りの検出結果に応じたＡＣＫ／ＮＡＣＫが送信され、リソース割当終了と判定された場合、前記データ応答リソースと同じリソースを用いて、前記下り割当制御情報に対する応答信号として、ＡＣＫが送信される、
フィードバック方法。
【請求項７】
リソース割当開始時に、下りデータリソースを用いて下りデータを送信し、前記下りデータリソースの情報及び前記下りデータの誤り結果に応じたＡＣＫ／ＮＡＣＫを送信する制御応答リソースを含む下り割当制御情報を送信し、リソース割当終了時に、リソース割当終了を示す情報を含む前記下り割当制御情報を送信し、
前記下りデータの誤り結果に応じたＡＣＫ／ＮＡＣＫ、及び、前記下り割当制御情報に対するＡＣＫを、前記制御応答リソースで受信し、
リソース割当終了時に、前記下り割当制御情報に対するＡＣＫを受信した場合、リソース割当終了完了と判定し、前記下りデータに対するＮＡＣＫを受信した場合、リソース割当終了見逃しと判断し、
リソース割当終了見逃しと判断した場合、リソース割当終了時の前記下り割当制御情報の再送制御をする、
再送制御方法。
【国際調査報告】
2011004613.tif 000025
2011004613.tif 000026